(57)【要約】      （修正有）【課題】直管形ＬＥＤランプ中に設けた際、大型サイズの電子素子によって収容空間が占有されるのを防ぐことができる駆動回路構造を提供する。【解決手段】直管形ＬＥＤランプ用の駆動回路構造は、管体２１と、管体２１内部に配置される少なくとも１つのＬＥＤ列２２と、管体２１内部の任意の端部に配置される少なくとも１つの駆動回路構造２３とを有する。駆動回路構造２３は、複数の普通サイズの電子素子２３１、少なくとも１つの大型サイズの電子素子２３２及び駆動回路基板２３３を備える。普通サイズの電子素子２３１は、駆動回路基板２３３の任意の一面上に挿設される。大型サイズの電子素子２３２は、駆動回路基板２３３の任意の側部に立設される。ＬＥＤ列２２上は、複数のＬＥＤを有する。管体２１は、直管状である。【選択図】図４Ａ
0003177312.tif 000002
【実用新案登録請求の範囲】
【請求項１】
管体と、前記管体内部に配置される少なくとも１つのＬＥＤ列と、前記管体内部の任意の端部に配置される少なくとも１つの駆動回路構造と、を有する直管形ＬＥＤランプ用の駆動回路構造であって、
前記駆動回路構造は、複数の普通サイズの電子素子、少なくとも１つの大型サイズの電子素子及び駆動回路基板を備え、前記普通サイズの電子素子は、前記駆動回路基板の任意の一面上に挿設され、前記大型サイズの電子素子は、前記駆動回路基板の任意の側部に立設されることを特徴とする直管形ＬＥＤランプ用の駆動回路構造。
【請求項２】
前記ＬＥＤ列上は、複数のＬＥＤを有することを特徴とする請求項１に記載の直管形ＬＥＤランプ用の駆動回路構造。
【請求項３】
前記管体は、直管状であることを特徴とする請求項１に記載の直管形ＬＥＤランプ用の駆動回路構造。
【請求項４】
前記駆動回路構造は、前記ＬＥＤ列と接続され、前記ＬＥＤ列を駆動して発光させることを特徴とする請求項１に記載の直管形ＬＥＤランプ用の駆動回路構造。
【請求項５】
前記普通サイズの電子素子は、抵抗、コンデンサなどの電子素子であることを特徴とする請求項１に記載の直管形ＬＥＤランプ用の駆動回路構造。
【請求項６】
前記大型サイズの電子素子は、前記駆動回路基板及び前記ＬＥＤ列に、発光に必要な電力を供給する変圧器であることを特徴とする請求項１に記載の直管形ＬＥＤランプ用の駆動回路構造。
【考案の詳細な説明】
【技術分野】
【０００１】
本考案は、直管形ＬＥＤランプ用の駆動回路構造に関し、特に、直管形ＬＥＤランプ中に設けられた際、大型サイズの電子素子によって収容空間が占有されるのを防ぐことができる駆動回路構造に関する。
【背景技術】
【０００２】
ＬＥＤ（発光ダイオード）は、消費電力が少なく、使用寿命が長く、体積が小さく、反応速度が速いため、各種の照明に広く使用されている。
また、すでに、図１Ａ、図１Ｂ及び図２に示すような、直管形蛍光ランプに代わる直管形ＬＥＤランプが案出されている。
一般に、従来の直管形ＬＥＤランプ１は、ＬＥＤ列１２及び駆動回路１３が収容される管体１１を有する。管体１１中には、２つのＬＥＤ列１２が左右に配置される。ＬＥＤ列１２上は、複数のＬＥＤ１２１を有する。
また、管体１１内部の両端部には、ＬＥＤ列１２と接続されて組み合わされる駆動回路１３がそれぞれ配置される。駆動回路１３の駆動回路基板１３１上には、ＬＥＤ列１２が必要とする電力を供給する変圧器１３２が挿設される。
【０００３】
しかし、上述の管体１１中の左右に２つのＬＥＤ列１２が配置される方式においては、左右２つのＬＥＤ列１２の中央に間隙が形成される。
これにより、２つのＬＥＤ列１２を如何に接近させたとしても、直管形ＬＥＤランプ１の左右両端の輝度が中央部の輝度より高くなる。
これにより、直管形ＬＥＤランプ１全体を均一に発光させることができないため、直管形ＬＥＤランプ１の発光効率が低下する。
【０００４】
そこで、管体１１中に１つの長いＬＥＤ列１２が配置された直管形ＬＥＤランプが案出された。この場合、ＬＥＤ列１２は、１つの駆動回路１３によって駆動されて発光するため、ＬＥＤ列１２全体を駆動するには、多くの電力が必要となる。
このため、大型サイズの変圧器１３２が必要となる。
しかし、大型サイズの変圧器１３２を使用した場合、駆動回路を管体１１内部の一方の端部に配置できないため、ＬＥＤ列１２全体を駆動できない。
仮に、大型サイズの変圧器１３２を有する駆動回路１３を管体１１内に配置できた場合、管体１１中のＬＥＤ列１２全体を駆動することができ、上述の問題を解決することができる。
【０００５】
即ち、大型サイズの変圧器を駆動回路基板の任意の側部に配置し、駆動回路が収容空間を占有する体積を低減させれば、直管形ＬＥＤランプ内において、大型サイズの電子素子を有する駆動回路がＬＥＤ列全体を駆動することができる。
【考案の概要】
【考案が解決しようとする課題】
【０００６】
本考案の目的は、大型サイズの電子素子が管体の収容空間を占有するのを防ぐことにより、直管形ＬＥＤランプ内において、１つの駆動回路により、ＬＥＤ列全体を駆動することができる直管形ＬＥＤランプ用の駆動回路構造を提供することにある。
【課題を解決するための手段】
【０００７】
上記課題を解決するために、管体と、前記管体内部に配置される少なくとも１つのＬＥＤ列と、前記管体内部の任意の端部に配置される少なくとも１つの駆動回路構造と、を有する直管形ＬＥＤランプ用の駆動回路構造であって、前記駆動回路構造は、複数の普通サイズの電子素子、少なくとも１つの大型サイズの電子素子及び駆動回路基板を備え、前記普通サイズの電子素子は、前記駆動回路基板の任意の一面上に挿設され、前記大型サイズの電子素子は、前記駆動回路基板の任意の側部に立設されることを特徴とする直管形ＬＥＤランプ用の駆動回路構造が提供される。
【０００８】
また、前記ＬＥＤ列上は、複数のＬＥＤを有することが好ましい。
【０００９】
また、前記管体は、直管状であることが好ましい。
【００１０】
また、前記駆動回路構造は、前記ＬＥＤ列と接続され、前記ＬＥＤ列を駆動して発光させることが好ましい。
【００１１】
また、前記普通サイズの電子素子は、抵抗、コンデンサなどの電子素子であることが好ましい。
【００１２】
また、前記大型サイズの電子素子は、前記駆動回路基板及び前記ＬＥＤ列に、発光に必要な電力を供給する変圧器であることが好ましい。
【考案の効果】
【００１３】
本考案の直管形ＬＥＤランプに用いられる駆動回路構造は、つぎ（１）及び（２）の効果を有する。
（１）大型サイズの電子素子が管体の収容空間を占有しないため、直管形ＬＥＤランプ中において、１つの駆動回路構造がＬＥＤ列全体を駆動し、直管形ＬＥＤランプを均一に発光させることができる。
（２）大型サイズの電子素子が駆動回路基板の任意の側部に立設されることにより、駆動回路構造が管体の収容空間を占有する体積が低減され、直管形ＬＥＤランプ中において、駆動回路構造がＬＥＤ列全体を駆動することができる。
【図面の簡単な説明】
【００１４】
【図１Ａ】従来の直管形ＬＥＤランプを示す斜視図である。
【図１Ｂ】従来の直管形ＬＥＤランプを示す分解斜視図である。
【図２】従来の直管形ＬＥＤランプを示す側面図である。
【図３】本考案の一実施形態による直管形ＬＥＤランプ用の駆動回路構造を示す斜視図である。
【図４Ａ】本考案の一実施形態による直管形ＬＥＤランプ用の駆動回路構造を直管形ＬＥＤランプに組み合わせた状態を示す斜視図である。
【図４Ｂ】本考案の一実施形態による直管形ＬＥＤランプ用の駆動回路構造を直管形ＬＥＤランプに組み合わせる状態を示す分解斜視図である。
【図５】本考案の一実施形態による直管形ＬＥＤランプ用の駆動回路構造を直管形ＬＥＤランプに組み合わせた状態を示す側面図である。
【考案を実施するための形態】
【００１５】
図３を参照する。図３に示すように、本考案の一実施形態による駆動回路構造２３は、複数の普通サイズの電子素子２３１（例えば、抵抗、コンデンサなどの電子素子）と、少なくとも１つの大型サイズの電子素子２３２と、駆動回路基板２３３と、を有する。本考案の一実施形態による駆動回路構造２３は、ＬＥＤ列２２全体のＬＥＤ２２１を駆動するために、大型サイズの変圧器が必要である。即ち、大型サイズの電子素子２３２は変圧器である。図３から分かるように、大型サイズの電子素子２３２は、駆動回路基板２３３の側部に立設され、駆動回路基板２３３上に挿設されるのではない。これにより、駆動回路構造２３が管体２１の収容空間を占有する体積を低減することができる。
【００１６】
図４Ａ及び図４Ｂを参照する。図４Ａ及び図４Ｂに示すように、直管形ＬＥＤランプ２は、少なくとも管体２１及び少なくとも１つのＬＥＤ列２２を含む。ＬＥＤ列２２は、管体２１内部に配置される。駆動回路構造２３は、大型サイズの電子素子２３２が駆動回路基板２３３の側部に立設されて構成される。これにより、駆動回路構造２３を管体２１内部の一方の端部に配置し、ＬＥＤ列２２と接続することができる。また、駆動回路構造２３は、ＬＥＤ列２２のＬＥＤ２２１を発光させるために用いられる。
【００１７】
また、大型サイズの電子素子２３２を駆動回路基板２３３上に挿設した場合、大型サイズの電子素子２３２の高さが管体２１内部の高さを越える。しかし、図５に示すように、本考案においては、大型サイズの電子素子２３２は、駆動回路基板２３３の側部に立設され、管体２１内部を越えないため、直管形ＬＥＤランプ２内において、ＬＥＤ列２２全体を駆動することができる。
【００１８】
上述したことから分かるように、本考案の直管形ＬＥＤランプに用いられる駆動回路構造は、従来技術と比較して以下（１）及び（２）の長所を有する。
（１）大型サイズの電子素子が管体の収容空間を占有しないため、直管形ＬＥＤランプ中において、１つの駆動回路構造がＬＥＤ列全体を駆動し、直管形ＬＥＤランプを均一に発光させることができる。
（２）大型サイズの電子素子が駆動回路基板の任意の側部に立設されることにより、駆動回路構造が管体の収容空間を占有する体積が低減され、直管形ＬＥＤランプ中において、駆動回路構造がＬＥＤ列全体を駆動することができる。
【００１９】
当該分野の技術を熟知するものが理解できるように、本考案の好適な実施形態を開示したが、これらは決して本考案を限定するものではない。本考案の主旨と領域を逸脱しない範囲内で各種の変更や修正を加えることができる。
従って、本考案の実用新案登録請求の範囲は、このような変更や修正を含めて広く解釈されるべきである。
【符号の説明】
【００２０】
１  直管形ＬＥＤランプ
２  直管形ＬＥＤランプ
１１  管体
１２  ＬＥＤ列
１３  駆動回路
２１  管体
２２  ＬＥＤ列
２３  駆動回路構造
１２１  ＬＥＤ
１３１  駆動回路基板
１３２  変圧器
２２１  ＬＥＤ
２３１  普通サイズの電子素子
２３２  大型サイズの電子素子
２３３  駆動回路基板
【図１Ａ】
0003177312.tif 000003
【図１Ｂ】
0003177312.tif 000004
【図２】
0003177312.tif 000005
【図３】
0003177312.tif 000006
【図４Ａ】
0003177312.tif 000007
【図４Ｂ】
0003177312.tif 000008
【図５】
0003177312.tif 000009